(57)【特許請求の範囲】
【請求項１】
画像を形成する画像形成装置であって、
原稿の画像を読み取る画像読み取り部と、
集約印刷の要求を受け付ける受け付け部と、
前記受け付け部により受け付けられた前記集約印刷の要求に応じて、集約印刷のデータを生成する画像データ生成部と、
前記画像データ生成部により生成された画像データ内に、所定のサイズ以下の文字があるか否かを検知する検知部と、
前記検知部により前記所定のサイズ以下の文字があると検知されれば、前記集約印刷に関する情報を表示するよう制御する表示制御部と、
表示された前記集約印刷に関する情報に基づいて入力された集約印刷の設定で、前記集約印刷を行うよう制御する印刷制御部とを備え、
前記集約印刷に関する情報は、集約する前のサイズの画像の印刷に関する情報を含む、画像形成装置。
【請求項２】
画像を形成する画像形成装置であって、
原稿の画像を読み取る画像読み取り部と、
集約印刷の要求を受け付ける受け付け部と、
前記受け付け部により受け付けられた前記集約印刷の要求に応じて、集約印刷のデータを生成する画像データ生成部と、
前記画像データ生成部により生成された画像データ内に、所定のサイズ以下の文字があるか否かを検知する検知部と、
前記検知部により前記所定のサイズ以下の文字があると検知されれば、前記集約印刷に関する情報を表示するよう制御する表示制御部と、
表示された前記集約印刷に関する情報に基づいて入力された集約印刷の設定で、前記集約印刷を行うよう制御する印刷制御部とを備え、
前記集約印刷に関する情報は、集約した画像の少なくとも一部を拡大した画像に関する情報を含む、画像形成装置。
【請求項３】
前記集約印刷に関する情報は、ページ数に関する情報、レイアウトの情報、および消費するトナー量に関する情報のうちの少なくともいずれか一つを含む、請求項１または２に記載の画像形成装置。
【請求項４】
前記検知部により前記所定のサイズ以下の文字がないと検知されれば、前記受け付け部により受け付けられた前記集約印刷の要求に応じて、前記集約印刷を行う、請求項１〜３のいずれか１項に記載の画像形成装置。
【請求項５】
ユーザー毎に前記集約印刷の設定の履歴を記憶する記憶部を備え、
前記表示制御部は、前記ユーザー毎に前記記憶部により記憶された履歴順に前記集約印刷に関する情報を表示するよう制御する、請求項１〜４のいずれか１項に記載の画像形成装置。
【請求項６】
前記表示制御部は、前記集約印刷の設定の履歴に関する情報を表示するよう制御する、請求項５に記載の画像形成装置。
【請求項７】
過去に同じ集約印刷の要求を受け付けたか否かを判断する判断部を備え、
前記表示制御部は、前記判断部により過去に同じ集約印刷の要求を受け付けたと判断されれば、過去に入力された前記集約印刷の設定を表示するよう制御する、請求項１〜６のいずれか１項に記載の画像形成装置。
【請求項８】
前記表示制御部は、前記集約印刷に関する情報のうち、レイアウトに関する情報をイメージで表示するよう制御する、請求項３〜７のいずれか１項に記載の画像形成装置。
【発明の詳細な説明】
【技術分野】
【０００１】
この発明は、画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させ、装置外に排出する。
【０００３】
ここで、画像形成装置においては、読み取られた複数ページ分の画像を１ページに集約して印刷する集約印刷の機能を有するものがある。集約印刷に関する技術が、特開２０１０−２７２０４９号公報（特許文献１）および特開２０１０−２０１９１９号公報（特許文献２）に開示されている。
【先行技術文献】
【特許文献】
【０００４】
【特許文献１】特開２０１０−２７２０４９号公報
【特許文献２】特開２０１０−２０１９１９号公報
【発明の概要】
【発明が解決しようとする課題】
【０００５】
ユーザーは一般的に、印刷枚数の低減や、消費するトナー量の低減を目的として、集約印刷を行う。ユーザーがどのように集約印刷を行うかについては、印刷後の読みやすさ等を考慮して、ユーザー自身が設定する。ここで、ユーザーが、集約印刷後の文字サイズを考慮せずに集約印刷の設定を行うことになれば、最終的な印刷物の文字が小さくなりすぎて、読みにくくなってしまう場合も生じる。
【０００６】
特許文献１によると、ユーザーの設定した文字サイズ以下とならないよう集約印刷を行うこととしている。しかし、例えば、たった一文字でも文字サイズが所定のサイズ以下となった場合、結果としてユーザーの望む集約印刷とならないおそれがある。このような状況を回避するためには、ユーザーは、予め読み取り前の原稿の内容、特に文字のサイズを詳細にチェックする必要があり、ユーザーの負担が増大することとなって好ましくない。また、特許文献２においては、集約のパラメータ毎の文字サイズをユーザーに提示して選択させることとしている。しかし、このような構成においても、ユーザーのニーズに沿った集約印刷をすることができない場合がある。
【０００７】
この発明の目的は、確実にユーザーのニーズに沿った集約印刷をすることができる画像形成装置を提供することである。
【課題を解決するための手段】
【０００８】
この発明の画像形成装置は、画像を形成する画像形成装置であって、画像読み取り部と、受け付け部と、画像データ生成部と、検知部と、表示制御部と、印刷制御部とを備える。画像読み取り部は、原稿の画像を読み取る。受け付け部は、集約印刷の要求を受け付ける。画像データ生成部は、受け付け部により受け付けられた集約印刷の要求に応じて、集約印刷のデータを生成する。検知部は、画像データ生成部により生成された画像データ内に、所定のサイズ以下の文字があるか否かを検知する。表示制御部は、検知部により所定のサイズ以下の文字があると検知されれば、集約印刷に関する情報を表示するよう制御する。印刷制御部は、表示された集約印刷に関する情報に基づいて入力された集約印刷の設定で、集約印刷を行うよう制御する。集約印刷に関する情報は、集約する前のサイズの画像の印刷に関する情報を含む。
【発明の効果】
【０００９】
このような画像形成装置によると、受け付け部により受け付けられた集約印刷の要求に応じて生成された画像データ内に所定のサイズ以下の文字があると検知されれば、集約印刷に関する情報を表示する。そして、入力された集約印刷の設定に基づいて、印刷を行う。したがって、確実にユーザーのニーズに沿った集約印刷をすることができる。
【図面の簡単な説明】
【００１０】
【図１】この発明の一実施形態に係る画像形成装置を複合機に適用した場合の複合機の外観を示す概略図である。
【図２】図１に示す複合機の構成を示すブロック図である。
【図３】操作部の概略的な構成を示す外観図である。
【図４】制御部の構成を示すブロック図である。
【図５】この発明の一実施形態に係る複合機を用いて、集約印刷を行う場合の処理の内容を示すフローチャートである。
【図６】問い合わせ画面を表示する表示画面の一例を示す図である。
【図７】集約印刷の設定画面の一例を示す図である。
【図８】集約印刷の設定画面の一例を示す図である。
【図９】集約印刷の設定画面の一例を示す図である。
【図１０】集約印刷の設定画面の一例を示す図である。
【発明を実施するための形態】
【００１１】
以下、この発明の実施の形態を説明する。図１は、この発明の一実施形態に係る画像形成装置を複合機に適用した場合の複合機の外観を示す概略図である。図２は、図１に示す複合機の構成を示すブロック図である。
【００１２】
図１および図２を参照して、複合機１１は、制御部１２と、操作部１３と、画像読み取り部１４と、画像形成部１５と、用紙セット部１９と、排出トレイ３０と、画像データ、処理プログラム、および各種設定値等を記憶しておくハードディスク１６と、ファクシミリ通信部１７と、ネットワーク２５と接続するためのネットワークインターフェース部１８とを備える。
【００１３】
制御部１２は、複合機１１全体の制御を行う。操作部１３は、複合機１１側から発信する情報やユーザーの入力内容を表示する表示画面２１を含む。操作部１３は、印刷部数や階調性等の画像形成の条件や電源のオンまたはオフを入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像を読み取る。用紙セット部１９は、手差しで用紙をセットする手差しトレイ２８やサイズの異なる複数枚の用紙を収納可能な給紙カセット群２９を含む。用紙セット部１９は、画像形成部１５に供給する用紙をセットさせる。画像形成部１５は、トナーにより可視画像を形成する現像装置２０を含む。画像形成部１５は、画像読み取り部１４により読み取られた画像やネットワーク２５を介して送信された画像データを基に、搬送されてきた用紙に画像を形成する。画像形成部１５により画像を形成された用紙は、排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１４】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１５】
複合機１１は、画像読み取り部１４により読み取られた原稿の画像データを用いて画像形成部１５において画像を形成することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成して用紙に印刷することにより、プリンターとして作動する。すなわち、画像形成部１５は、要求された画像を印刷する印刷部として作動する。複合機１１は、ファクシミリ通信部１７を通じて、公衆回線２４から送信された画像データを用いて、画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。複合機１１は、画像処理に関し、複写機能、プリンター機能、ファクシミリ機能等、複数の機能を有する。さらに、各機能に対しても、詳細に設定可能な機能を有する。
【００１６】
この発明の一実施形態に係る複合機１１を含む画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。
【００１７】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、複合機１１の電源のオンオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００１８】
次に、制御部１２の構成について説明する。図４は、制御部１２の構成を示すブロック図である。図４を参照して、制御部１２は、受け付け部５１と、画像データ生成部５２と、検知部５３と、表示制御部５４と、印刷制御部５５とを備える。受け付け部５１は、操作部１３等を介して集約印刷等の印刷の要求を受け付ける。画像データ生成部５２は、受け付け部５１により受け付けられた集約印刷の要求に応じて、集約印刷の画像データを生成する。検知部５３は、画像データ生成部５２により生成された画像データ内に、所定のサイズ以下の文字があるか否かを検知する。表示制御部５４は、検知部５３により所定のサイズ以下の文字があると検知されれば、集約印刷に関する情報を表示するよう制御する。印刷制御部５５は、表示された集約印刷に関する情報に基づいて入力された集約印刷の設定に基づいて、集約印刷を行うよう制御する。
【００１９】
次に、この発明の一実施形態に係る複合機１１により、集約印刷を行う場合について説明する。図５は、この発明の一実施形態に係る複合機１１を用いて、集約印刷を行う場合の処理の内容を示すフローチャートである。
【００２０】
図５を参照して、まず、ユーザーは、集約印刷を行う複数の原稿をＡＤＦ２２にセットする。そして、操作部１３を介して、集約印刷の設定を行って、集約印刷の要求を行う。この場合、ユーザーはまず、４ページ分の画像を１ページに集約する４ｉｎ１の集約印刷の設定を行うものとする。
【００２１】
そうすると、受け付け部５１は、操作部１３の表示画面２１を介して、集約印刷の設定、および集約印刷の要求を受け付ける（図５において、ステップＳ１１、以下、「ステップ」を省略する）。
【００２２】
制御部１２がユーザーによるスタートキー３２の押下を検知すると、画像読み取り部１４が、ＡＤＦ２２にセットされた原稿の画像を読み取る（Ｓ１２）。
【００２３】
原稿の画像の読み取りの終了後、画像データ生成部５２は、読み取られた画像データを基に、集約印刷の設定に沿って、集約印刷の画像データを生成する（Ｓ１３）。この場合、４ｉｎ１の集約印刷を行った場合の画像データを生成する。
【００２４】
次に、検知部５３は、画像データ生成部５２により生成された画像データ内に、所定のサイズ以下の文字があるか否かを検知する（Ｓ１４）。この所定の文字のサイズについては、ユーザーや複合機１１を管理する管理者等が、操作部１３の表示画面２１等を通じて、任意に設定できるものである。文字のサイズについては、一般的に、可読性を考慮して定められる。
【００２５】
表示制御部５４は、検知部５３により生成された画像データ内に所定のサイズ以下の文字があると検知されれば（Ｓ１５において、ＹＥＳ）集約印刷に関する情報を表示するよう制御する。この場合、表示制御部５４は、集約印刷に関する情報として、集約印刷の最適化を行うことができる旨の情報である。そして、集約印刷の最適化を行うか否かを問い合わせる。この場合、操作部１３における表示画面２１において、問い合わせ画面を表示する（Ｓ１６）。
【００２６】
図６は、問い合わせ画面を表示する表示画面２１の一例を示す図である。図６を参照して、表示画面２１には、「集約印刷の最適化を行うことができます。集約印刷の設定の変更を行いますか？」との問い合わせのメッセージ４１と、「はい」と表示され、押下により集約印刷の設定画面へ移行させて設定の変更を行わせる選択キー４２ａと、「いいえ」と表示され、押下により受け付け部５１によって受け付けられた集約印刷の設定で集約印刷を行う選択キー４２ｂとが表示されている。なお、図６においては、選択キー４２ａが押下された状態をハッチングで示している。
【００２７】
ユーザーによって選択キー４２ａが押下され、設定の変更を行うことが選択されると（Ｓ１７において、ＹＥＳ）、表示制御部５４は、集約印刷に関する情報として、集約印刷前後におけるページ数に関する情報、集約印刷前後におけるレイアウトの情報、集約する前のサイズの画像の印刷に関する情報、および集約した画像の少なくとも一部を拡大した画像に関する情報を表示するよう制御する。なお、表示制御部５４は、レイアウトの情報について、イメージで表示するよう制御する（Ｓ１８）。
【００２８】
図７、図８、図９、および図１０はそれぞれ、集約印刷の設定画面の一例を示す図である。まず、図７を参照して、表示画面２１の左側の領域には、受け付け部５１により受け付けられた集約印刷の設定として、「４ｉｎ１（設定値）」との表示４５ａと、チェックボックス４６ａと、４ｉｎ１に集約したイメージ４７ａと、「総ページ数：２０」との表示４８ａとが示されている。また、表示画面２１の右側の領域には、適正化された集約印刷の一例として、「構成１  ２ｉｎ１（全体）」との表示４５ｂと、チェックボックス４６ｂと、２ｉｎ１で集約したイメージ４７ｂと、ページ数に関する情報として「総ページ数：４０」との表示４８ｂと、「＊ページ数が倍増します。」とのメッセージ４９ｂとが示されている。この場合、全てのページを同じ大きさにして可読性を良好にするため、また、印刷物を揃えた場合に全てのページの縦横の方向が同じで全体の向きを統一させて可読性を良好にするため、文字が所定のサイズ以下にならないページも、４ｉｎ１から２ｉｎ１にする。なお、上記適正化された集約印刷の一例は、４ｉｎ１の集約印刷では文字が所定サイズ以下になるページも２ｉｎ１の集約印刷では文字が所定サイズ以下にならずに印刷できる場合の一例である。
【００２９】
次に、図８を参照して、表示画面２１の左側の領域には、図７に示す場合と同様に、受け付け部５１により受け付けられた集約印刷の設定として、「４ｉｎ１（設定値）」との表示４５ａと、チェックボックス４６ａと、４ｉｎ１に集約したイメージ４７ａと、「総ページ数：２０」との表示４８ａとが示されている。また、表示画面２１の右側の領域には、適正化された集約印刷の一例として、「構成２  ２ｉｎ１（部分）」との表示４５ｃと、チェックボックス４６ｃと、２ｉｎ１で集約したイメージ４７ｃと、ページ数に関する情報として「総ページ数：３０」との表示４８ｃと、「＊ページ数が増加します。＊仕上がり印刷向きが縦横混在します。」とのメッセージ４９ｃとが示されている。この場合、４ｉｎ１にしても文字のサイズが所定のサイズ以下にならないページがあれば、４ｉｎ１で印刷を行い、４ｉｎ１にして文字のサイズが所定のサイズ以下になるページがあれば、２ｉｎ１とする。すなわち、４ｉｎ１のページと２ｉｎ１のページとで、ページの縦横が変わり、この縦横の配置が混在することとなる。なお、上記適正化された集約印刷の一例は、４ｉｎ１の集約印刷では文字が所定サイズ以下になるページも２ｉｎ１の集約印刷では文字が所定サイズ以下にならずに印刷できる場合の一例である。
【００３０】
次に、図９を参照して、表示画面２１の左側の領域には、図７および図８に示す場合と同様に、受け付け部５１により受け付けられた集約印刷の設定として、「４ｉｎ１（設定値）」との表示４５ａと、チェックボックス４６ａと、４ｉｎ１に集約したイメージ４７ａと、「総ページ数：２０」との表示４８ａとが示されている。また、表示画面２１の右側の領域には、適正化された集約印刷の一例として、「構成３  集約無しモードを追加印刷」との表示４５ｄと、チェックボックス４６ｄと、一部の画像を集約無しで印刷したイメージ４７ｄと、ページ数に関する情報として「総ページ数：３０」との表示４８ｄと、「＊ページ数が増加します。＊検知ページの集約無しの追加印刷をします。」とのメッセージ４９ｄとが示されている。この場合の追加印刷に関する情報は、集約する前のサイズの画像の印刷に関する情報である。すなわち、４ｉｎ１の集約印刷を行った場合に、文字のサイズが所定のサイズ以下になってしまうページがある場合に、全ての４ｉｎ１の集約印刷に加えて、文字のサイズが所定のサイズ以下になってしまうページの集約無し印刷を追加して行う。この場合、４ｉｎ１と集約無し印刷とでは、ページの縦横の方向が同じで全体の向きを統一させることができる。なお、追加印刷として、縦横の向きが変わることとなるが、文字のサイズが４ｉｎ１では所定のサイズ以下となってしまうページについて、２ｉｎ１では所定のサイズ以下にならないページであれば、２ｉｎ１の集約印刷を行うこととしてもよい。
【００３１】
図１０を参照して、表示画面２１の左側の領域には、図７〜図９に示す場合と同様に、受け付け部５１により受け付けられた集約印刷の設定として、「４ｉｎ１（設定値）」との表示４５ａと、チェックボックス４６ａと、４ｉｎ１に集約したイメージ４７ａと、「総ページ数：２０」との表示４８ａとが示されている。また、表示画面２１の右側の領域には、適正化された集約印刷の一例として、「構成４  部分拡大集約ページを追加印刷」との表示４５ｅと、チェックボックス４６ｅと、部分拡大集約ページを印刷したイメージ４７ｅと、ページ数に関する情報として「総ページ数：２６」との表示４８ｅと、「＊ページ数の増加は軽減します。＊検知部分を部分拡大集約印刷します。」とのメッセージ４９ｅとが示されている。この場合の部分拡大集約印刷に関する情報は、集約した画像の少なくとも一部を拡大した画像に関する情報である。すなわち、集約した画像のうち、ページの全体を拡大するのではなく、４ｉｎ１で文字のサイズが所定のサイズ以下となった部分について、文字のサイズが所定のサイズ以下にならないように拡大して印刷を行うものである。
【００３２】
ユーザーは、図７〜図１０に示されるこれらの表示画面２１をスクロール等により見比べる。そして、可読性を高めたいのか、トナーの消費量をできるだけ削減したいのか、追加印刷も考慮して印刷したいのかといったユーザーのニーズに応じて、集約印刷の設定を図７〜図１０に示す設定の中から選択する。すなわち、ユーザーのニーズに沿った適正化された集約印刷の設定を選択して、入力する。この入力は、チェックボックス４６ａ〜４６ｅへのチェックにより行われる。
【００３３】
印刷制御部５５は、表示された集約印刷に関する情報に基づいて入力された集約印刷の設定に基づいて、集約印刷を行う（Ｓ１９）。なお、Ｓ１５において、生成された画像データ内に所定のサイズ以下の文字がないと検知された場合（Ｓ１５において、ＮＯ）や、Ｓ１７において、選択キー４２ｂの押下が検知され、設定の変更を行わないことが選択された場合（Ｓ１７において、ＮＯ）については、受け付け部５１によって受け付けられた集約印刷の設定に沿って集約印刷を実行する（Ｓ２０）。
【００３４】
このような構成の複合機１１によると、受け付け部５１により受け付けられた集約印刷の要求に応じて生成された画像データ内に所定のサイズ以下の文字があると検知されれば、集約印刷に関する情報を表示する。そして、入力された集約印刷の設定に基づいて、印刷を行う。この場合、用紙に印刷するまでもなく、集約印刷の設定を変更した際のメリットおよびデメリット、画像イメージ等を確認することができるため、集約印刷の最適化を図ることができる。したがって、確実にユーザーのニーズに沿った集約印刷をすることができる。
【００３５】
なお、上記の実施の形態において、集約印刷に関する情報は、ページ数に関する情報、およびレイアウトの情報の双方を含むこととしたが、これに限らず、集約印刷に関する情報として、ページ数に関する情報、レイアウトの情報、および消費するトナー量に関する情報のうちの少なくともいずれか一つを含むよう構成してもよい。
【００３６】
また、上記の実施の形態においては、集約印刷に関する情報は、集約する前のサイズの画像の印刷に関する情報を含むこととしたが、これに限らず、集約する前のサイズの画像の印刷に関する情報を含まない構成としてもよい。
【００３７】
なお、集約印刷に関する情報は、集約した画像の少なくとも一部を拡大した画像に関する情報を含むこととしたが、これに限らず、集約した画像の少なくとも一部を拡大した画像に関する情報を含まない構成としてもよい。
【００３８】
また、上記の実施の形態においては、表示制御部は、集約印刷に関する情報のうち、レイアウトに関する情報をイメージで表示するよう制御することとしたが、これに限らず、イメージで表示しなくともよい。
【００３９】
なお、上記の実施の形態において、複合機１１は、ユーザー毎に集約印刷の設定の履歴を記憶する記憶部を備え、表示制御部は、ユーザー毎に記憶部により記憶された履歴順に集約印刷に関する情報を表示するよう制御することとしてもよい。こうすることにより、ユーザーのニーズに沿った集約印刷の設定を容易に把握することができ、利便性を向上することができる。
【００４０】
また、表示制御部は、集約印刷の設定の履歴に関する情報を表示するよう制御することとしてもよい。こうすることにより、さらにユーザーのニーズに沿った集約印刷の設定をすることができる。
【００４１】
なお、上記の実施の形態において、制御部１２は、過去に同じ集約印刷の要求を受け付けたか否かを判断する判断部を備え、表示制御部５４は、判断部により過去に同じ集約印刷の要求を受け付けたと判断されれば、過去に入力された集約印刷の設定を表示するよう制御することとしてもよい。こうすることにより、同じ集約印刷の要求があった場合の利便性を向上することができる。
【００４２】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４３】
この発明に係る画像形成装置は、確実なユーザーのニーズに沿った集約印刷が要求される場合に、特に有効に利用される。
【符号の説明】
【００４４】
１１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２０  現像装置、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  テンキー、３２  スタートキー、３３  電源キー、３４  メニューキー、３５  登録キー、３６  リセットキー、４１，４９ｂ，４９ｃ，４９ｄ，４９ｅ  メッセージ、４２ａ，４２ｂ  選択キー、４５ａ，４５ｂ，４５ｃ，４５ｄ，４５ｅ，４８ａ，４８ｂ，４８ｃ，４８ｄ，４８ｅ  表示、４６ａ，４６ｂ，４６ｃ，４６ｄ，４６ｅ  チェックボックス、４７ａ，４７ｂ，４７ｃ，４７ｄ，４７ｅ  イメージ、５１  受け付け部、５２  画像データ生成部、５３  検知部、５４  表示制御部、５５  印刷制御部。
【図１】
0006465050.tif 000002
【図２】
0006465050.tif 000003
【図３】
0006465050.tif 000004
【図４】
0006465050.tif 000005
【図５】
0006465050.tif 000006
【図６】
0006465050.tif 000007
【図７】
0006465050.tif 000008
【図８】
0006465050.tif 000009
【図９】
0006465050.tif 000010
【図１０】
0006465050.tif 000011